(57)【要約】【目的】簡易にかつ確実に開口することができ、いたずら等による開封を事後容易に認識できる開口装置が取付けられた包装容器を提供することを目的とする。【構成】包装容器は、カバー１１と支持部とを含む開口装置１２が取付けられた、頂部２に開口可能域４を有する流動食品用包装容器１である。支持部１３は、頂部２の後端に固定され、カバー１１の後端を中心に回動自在にカバーを支持する。カバー１１は、開口可能域４を含む頂部２の一部を覆い、開口可能域４に対向する位置に係合部１４を有する。【選択図】        図１
2004276926.tif 000002
【特許請求の範囲】
【請求項１】
カバーと支持部とを含む開口装置が取付けられた、頂部に開口可能域を有する流動食品用包装容器であって、
前記支持部は、前記頂部に固定され、前記カバーの一端を中心に回動自在に該カバーを支持し、
該カバーは、前記開口可能域を含む該頂部の一部全体を覆い、該開口可能域に対向する位置に係合部を有し、
該開口可能域には、該可能域と固着し且つ該可能域から突出する突起が設けられ、
前記突起は、前記係合部と係合して、該カバーの回転による開口時に、固着する該開口可能域を破断して開口部を形成し、
該カバーの他端には、対向する頂部に、切断容易にかつ切断認識容易に、改竄防止手段が設けられている
ことを特徴とする包装容器。
【請求項２】
カバーと板状回転蓋とを含む開口装置が取付けられた、頂部に開口可能域を有する流動食品用包装容器であって、
前記カバーは、前記頂部に固定され、前記開口可能域に対向する位置に開口板を有し、
前記板状回転蓋は、前記開口板を覆う初期から、該板状回転蓋の回転動作とともに、該開口板の一端を下方に押し下げて該開口可能域を破断し、該開口板を下方に向けて固定して開口領域を確保し、
該板状回転蓋と該カバーとの間には、切断容易にかつ切断認識容易に、改竄防止手段が設けられている
ことを特徴とする包装容器。
【請求項３】
カバーとハンドルと蓋とを含む開口装置が取付けられた、頂部に開口可能域を有する流動食品用包装容器であって、
前記カバーは、前記頂部の一部全体を覆って固着され、
前記ハンドルは、該カバーと回動自在に固定され、
前記蓋は、該ハンドル一端と蝶番状に連結し、該開口可能域に対応する位置に設けられ、
該ハンドルの一端には、該ハンドル上面と、切断容易にかつ切断認識容易に、改竄防止手段が設けられている
ことを特徴とする包装容器。
【請求項４】
カバーと蓋とプルリングとを含む開口装置が取付けられた、頂部に開口可能域を有する流動食品用包装容器であって、
前記カバーは、少なくとも前記開口可能域を除く前記頂部を覆って該頂部に固定され、後端にガイドを有し、
前記蓋は、該開口可能域を覆って該可能域に溶着され、
前記プルリングは、該蓋の前端と連結し、前記ガイドを介して設けられ、
該プルリングと該ガイドとの間には、切断容易にかつ切断認識容易に、改竄防止手段が設けられている
ことを特徴とする包装容器。
【請求項５】
フレームと支持部とを含む開口装置が取付けられた、頂部に開口可能域を有する流動食品用包装容器であって、
前記支持部は、前記開口可能域の周囲域において前記頂部に固定され、
前記フレームは、該開口可能域を覆うと共に該開口可能域の内周と実質的に同形状を有し、外周において該支持部と蝶番状に連結し、
該フレームと該支持部とを覆って、剥離容易にかつ剥離認識容易に、改竄防止手段が設けられている
ことを特徴とする包装容器。
【発明の詳細な説明】
【０００１】
本発明は、開口装置が取り付けられた開口可能域を有する流動食品用包装容器に関する。
【０００２】
【従来の技術】
ジュース、ミルク、ワイン、ソースなどのような多くの流動食品は無菌パッケージ材料で作られた流動食品用包装容器で包装されて販売されている。
その流動食品用包装容器の典型例は、周知の流動食品用の平行六面体や平行八面体のパッケージ、屋根形の紙容器であり、このパッケージは積層された包装材を折曲げ、シールして形成される。この包装材は、両面を例えばポリエチレンのような熱シール・プラスチック材料で覆われた例えば紙のような繊維材料の層を含む多層構造を有する。また、長期保存用の無菌パッケージの場合、包装材は例えばアルミニウム薄膜などの酸素バリヤ材料の層を含み、また最終的に食品に接触するパッケージ内面を形成する他の熱シール・プラスチック層でさらに覆われる。
【０００３】
流動食品用包装容器は、注ぎ出すための開口装置を一般に備えている。その開口装置は、開口を形成する器壁の穴、パンチ抜き、または切離可能部分に取付けられる注ぎ口フレームと、キャップとを実質的に含む。
器壁のパンチ穴にラミネートフィルムが貼付された開口可能域（プレラミネッテドホール、ＰＬＨという）に開口装置が取り付けられた包装容器が、例えば、特開２００２ー８７４５６号に記載されている。
【０００４】
【発明が解決しようとする課題】
上記従来技術では、簡易にかつ確実に開口することが必ずしもできないというの不都合がある。
更に、流通過程において、いたずら等により、容器が一部若しくは全面的に開封される恐れがあり、そのような開封を事後容易に認識できる必要性がある。
【０００５】
本発明は、簡易にかつ確実に開口することができ、いたずら等による開封を事後容易に認識できる開口装置が取付けられた包装容器を提供することを目的とする。
【０００６】
【課題を解決するための手段】
本発明の請求項１に記載の包装容器は、カバーと支持部とを含む開口装置が取付けられた、頂部に開口可能域を有する流動食品用包装容器であって、前記支持部は、前記頂部に固定され、前記カバーの一端を中心に回動自在に該カバーを支持し、該カバーは、前記開口可能域を含む該頂部の一部全体を覆い、該開口可能域に対向する位置に係合部を有し、該開口可能域には、該可能域と固着し且つ該可能域から突出する突起が設けられ、前記突起は、前記係合部と係合して、該カバーの回転による開口時に、固着する該開口可能域を破断して開口部を形成し、該カバーの他端には、対向する頂部に、切断容易にかつ切断認識容易に、改竄防止手段が設けられていることを特徴とする。
【０００７】
上記構成により、カバーの前端を引き上げ、頂部に固定された支持部を中心にカバーを回転させると、突起は、係合部と係合して、カバーの回転による開口時に、固着する開口可能域を破断して開口部を形成する。カバーの前端では、カバーの前端の引き上げによって、頂部とカバーとの間の改竄防止手段が、容易に切断し、かつ容易にその切断を認識することができる。
【０００８】
本発明の請求項２に記載の包装容器は、カバーと板状回転蓋とを含む開口装置が取付けられた、頂部に開口可能域を有する流動食品用包装容器であって、前記カバーは、前記頂部に固定され、前記開口可能域に対向する位置に開口板を有し、前記板状回転蓋は、前記開口板を覆う初期から、該板状回転蓋の回転動作とともに、該開口板の一端を下方に押し下げて該開口可能域を破断し、該開口板を下方に向けて固定して開口領域を確保し、該板状回転蓋と該カバーとの間には、切断容易にかつ切断認識容易に、改竄防止手段が設けられていることを特徴とする。
上記構成により、開封前には、板状回転蓋は、開口板を覆っている。その初期状態から、板状回転蓋の回転動作とともに、板状回転蓋が開口板の一端を下方に押し下げて開口可能域を破断する。更に、回転することによって開口板を下方に向けて固定して開口領域を確保する。板状回転蓋とカバーとの間の改竄防止手段が、容易に切断し、かつ容易にその切断を認識することができる作用を有する。
【０００９】
本発明の請求項３に記載の包装容器は、カバーとハンドルと蓋とを含む開口装置が取付けられた、頂部に開口可能域を有する流動食品用包装容器であって、前記カバーは、前記頂部の一部全体を覆って固着され、前記ハンドルは、該カバーと回動自在に固定され、前記蓋は、該ハンドル一端と蝶番状に連結し、該開口可能域に対応する位置に設けられ、該ハンドルの一端には、該ハンドル上面と、切断容易にかつ切断認識容易に、改竄防止手段が設けられていることを特徴とする。
上記構成により、カバーと回動自在に固定されているハンドルの後端を持ち上げると、それに連動して前端で蝶番状に連結している蓋が、開口可能域を破断する。更に回転することによって、開口領域を確保する。ハンドルの後端とハンドル上面との間の改竄防止手段が、容易に切断し、かつ容易にその切断を認識することができる作用を有する。
【００１０】
本発明の請求項４に記載の包装容器は、カバーと蓋とプルリングとを含む開口装置が取付けられた、頂部に開口可能域を有する流動食品用包装容器であって、前記カバーは、少なくとも前記開口可能域を除く前記頂部を覆って該頂部に固定され、後端にガイドを有し、前記蓋は、該開口可能域を覆って該可能域に溶着され、前記プルリングは、該蓋の前端と連結し、前記ガイドを介して設けられ、該プルリングと該ガイドとの間には、切断容易にかつ切断認識容易に、改竄防止手段が設けられていることを特徴とする。
上記構成により、プルリングは、蓋の前端と連結し、ガイドを介して設けられるので、プルリングはガイドに沿って移動し、プルリングを後方に引張ることによって、蓋が後端側に回転し、溶着されている開口可能域を容易に破断する。プルリングとガイドとの間の改竄防止手段が、容易に切断し、かつ容易にその切断を認識することができる作用を有する。
【００１１】
本発明の請求項５に記載の包装容器は、フレームと支持部とを含む開口装置が取付けられた、頂部に開口可能域を有する流動食品用包装容器であって、前記支持部は、前記開口可能域の周囲域において前記頂部に固定され、前記フレームは、該開口可能域を覆うと共に該開口可能域の内周と実質的に同形状を有し、外周において該支持部と蝶番状に連結し、該フレームと該支持部とを覆って、剥離容易にかつ剥離認識容易に、改竄防止手段が設けられていることを特徴とする。
上記構成により、支持部と蝶番状に連結するフレームは、開口可能域を覆うと共に開口可能域の内周と実質的に同形状を有するので、このフレームを押圧することによって、円滑にフレームが押し下がり、開口可能域全域を破断することができる。フレームと支持部とを覆っている改竄防止手段が、容易に剥離され、かつ容易にその剥離を認識することができる。
【００１２】
【発明の実施の形態】
以下、本発明の実施の形態について、説明する。
図１５は、本発明に使用することができる包装容器の一実施例を示す外観図である。この実施例の包装容器１は、底部と頂部２と８枚の側壁３とを持つ八角柱状の紙製包装容器である。
【００１３】
本発明による第１の実施態様の包装容器は、カバー１１と支持部とを含む開口装置１２が取付けられた、頂部２に開口可能域４を有する流動食品用包装容器１である。図１は、この態様の容器の平面図である。図２（Ａ）及び（Ｂ）は、開口装置１２の開口動作を示す容器１の上部の断面図である。支持部１３は、頂部２の後端に固定され、カバー１１の後端を中心に回動自在にカバーを支持する。カバー１１は、開口可能域４を含む頂部２の一部を覆い、開口可能域４に対向する位置に係合部１４を有する。開口可能域４には、可能域４と固着し（１５ａ）且つ可能域４から突出する突起１５が設けられる。突起１５は、係合部１４と係合して、カバー１１の回転による開口時に、固着する開口可能域４を破断して開口部を形成し、カバーの他端には、対向する頂部２に、切断容易にかつ切断認識容易に、改竄防止手段１６が設けられている。
【００１４】
上記態様においては、カバー１１の前端を引き上げ、頂部２に固定された支持部１３を中心にカバー１１を回転させると、突起１５は、係合部１４と係合して、カバー１１の回転による開口時に、固着する開口可能域４を破断して開口部５を形成する。カバー１１の前端では、カバー１１の前端の引き上げによって、頂部２とカバー１１との間の改竄防止手段１６が、容易に切断し、かつ容易にその切断を認識することができる。
【００１５】
開封動作を示す平面図の図４、分解状態を示す分解図の図５及び開口板の開封動作を示す断面図の図６で示す本発明による第２の実施態様の包装容器は、カバー２１と板状回転蓋２２とを含む開口装置２３が取付けられた、頂部２に開口可能域４を有する流動食品用包装容器である。カバー２１は、頂部２に固定され、開口可能域４に対向する位置に開口板２３を有する。板状回転蓋２２は、開口板２３を覆う初期から、板状回転蓋２２の回転軸２４を中心に回転動作を行い、開口板２３の一端を下方に押し下げて開口可能域４を破断し、開口板２３を下方に向けて固定して開口領域５を確保する。板状回転蓋２２とカバー２１との間には、切断容易にかつ切断認識容易に、改竄防止手段１６が設けられている。
上記態様においては、開封前には、板状回転蓋２２は、開口板２３を覆っている。その初期状態から、板状回転蓋の回転動作とともに、板状回転蓋２２が開口板２３の一端を下方に押し下げて開口可能域４を破断する。更に、回転することによって開口板２３を下方に向けて固定して開口領域５を確保する。板状回転蓋とカバーとの間の改竄防止手段１６が、容易に切断し、かつ容易にその切断を認識する。
【００１６】
容器頂部と開口装置の外観を示す斜視図の図７、容器頂部と開口装置の外観を示す平面図の図８、クリック音発生装置の概要を示す底面図及び側面図の図９及び、開封動作を示す断面図の図１０で示す本発明による第３の実施態様の包装容器は、カバー３１とハンドル３２と蓋３３とを含む開口装置が取付けられた、頂部２に開口可能域４を有する流動食品用包装容器１である。カバー３１は、頂部２の全体を覆って固着される。ハンドル３２は、カバーとの固定部分（開口可能域４の近傍）を中心に回動自在に固定される。蓋３３は、ハンドル３２の前端と蝶番状に連結し、開口可能域４に対応する位置に設けられ、ハンドル３２の後端近傍には、ハンドル上面と、切断容易にかつ切断認識容易に、改竄防止手段１６が設けられている。
上記態様においては、カバー３１と回動自在に固定されているハンドル３２の後端を持ち上げると、それに連動して前端で蝶番状に連結している蓋３３が、開口可能域４を破断する。更に回転することによって、開口領域４を確保する。図１０（Ｅ）に示す様に、ハンドル３２を前方に傾けて開口領域４を再度一時的に閉じることができる。ハンドル３２の後端とハンドル上面との間の改竄防止手段１６が、容易に切断し、かつ容易にその切断を認識することができ、改竄防止手段１６を引く抜いた後の穴を空気穴として利用できる。
【００１７】
図９に示すクリック音発生装置３５は、図８のＡ−Ａ線に設けられ、ハンドル３２を持ち上げるにつれてカチッと音が鳴る装置である。この装置３５は、サウンドディスク３６と、ディスク３６に設けられたニップル３７と、ねじれバー３８とからなる。
【００１８】
容器頂部と開口装置の外観を示す平面図の図１１及び開封動作を示す断面図の図１２で示す本発明による第４の実施態様の包装容器は、カバー４１と蓋４２とプルリング４３とを含む開口装置が取付けられた、頂部２に開口可能域４を有する流動食品用包装容器である。カバー４１は、開口可能域を除く頂部２の中央部を覆って頂部２に固定され、後端にガイド４４を有する。蓋４２は、開口可能域４を覆って可能域４に溶着されている。プルリング４３は、蓋４２の前端と連結し、ガイド４４を介して設けられる。プルリング４３とガイド４４との間には、切断容易にかつ切断認識容易に、改竄防止手段１６が設けられている。
上記態様においては、プルリング４３は、蓋４２の前端と連結し、ガイド４４を介して設けられるので、プルリング４３はガイド４４に沿って移動し、プルリング４３を後方に引張ることによって、蓋４２が後端側に回転し、溶着されている開口可能域４を容易に破断する。プルリング４３とガイド４４との間の改竄防止手段１６が、容易に切断し、かつ容易にその切断を認識することができる。
【００１９】
容器頂部と開口装置の外観を示す平面図の図１３及び開封動作を示す断面図の図１４で示す本発明による第５の実施態様の包装容器は、フレーム５１と支持部５２とを含む開口装置が取付けられた、頂部２に開口可能域４を有する流動食品用包装容器である。支持部５２は、開口可能域４の周囲域において頂部２に固定される。フレーム５１は、開口可能域４を覆うと共に開口可能域の内周と実質的に同形状を有し、外周において支持部５２と蝶番状に連結する。フレーム５１と支持部５２とを覆って、剥離容易にかつ剥離認識容易に、改竄防止手段１６が設けられている。
上記態様においては、支持部５２と蝶番状に連結するフレーム５１は、開口可能域４を覆うと共に開口可能域の内周と実質的に同形状を有するので、図１４の矢印に示す様に、このフレーム５１を押圧することによって、円滑にフレーム５１が押し下がり、開口可能域全域を破断する。フレーム５１と支持部５２とを覆っている改竄防止手段１６が、容易に剥離され、かつ容易にその剥離を認識することができる。
【００２０】
【発明の効果】
以上説明したように本発明のによって、簡易にかつ確実に開口することができ、いたずら等による開封を事後容易に認識できる開口装置が取付けられた包装容器を提供することができる。
【図面の簡単な説明】
【図１】本発明による第１の実施形態の容器の平面図
【図２】本発明による第１の実施形態の開口装置の開口動作を示す容器の上部の断面図
【図３】本発明による第１の実施形態の開口装置の拡大断面図
【図４】本発明による第２の実施形態の容器の開封動作を示す平面図
【図５】本発明の第２の実施形態の分解状態を示す分解図
【図６】本発明の第２実施形態の開口装置による開口を説明する部分断面図
【図７】本発明による第３の実施形態の容器頂部と開口装置の外観を示す斜視図
【図８】本発明による第３の実施形態の容器頂部と開口装置の外観を示す平面図
【図９】本発明による第３の実施形態のクリック音発生装置の概要を示す底面図及び側面図
【図１０】本発明による第３の実施形態の開口装置の開封動作を示す断面図
【図１１】本発明による第４の実施形態の容器頂部と開口装置の外観を示す平面図
【図１２】本発明による第４の実施形態の開封動作を示す断面図
【図１３】本発明による第５の実施形態の容器頂部と開口装置の外観を示す平面図
【図１４】本発明による第５の実施形態の開封動作を示す断面図
【図１５】本発明に使用することができる包装容器の一実施例を示す外観図
【符号の説明】
２  ・・・頂部
４  ・・・開口可能域
【図１】
2004276926.tif 000003
【図２】
2004276926.tif 000004
【図３】
2004276926.tif 000005
【図４】
2004276926.tif 000006
【図５】
2004276926.tif 000007
【図６】
2004276926.tif 000008
【図７】
2004276926.tif 000009
【図８】
2004276926.tif 000010
【図９】
2004276926.tif 000011
【図１０】
2004276926.tif 000012
【図１１】
2004276926.tif 000013
【図１２】
2004276926.tif 000014
【図１３】
2004276926.tif 000015
【図１４】
2004276926.tif 000016
【図１５】
2004276926.tif 000017